(57)【要約】 【課題】  部分画像送信装置と部分画像受信装置との間のオーバヘッドを低減する。【解決手段】  部分画像処理装置は、画像表示装置が受信する表示画像の一部である部分画像を受信する受信部と、前記部分画像の前記表示画像における表示位置を示す表示位置制御パラメータを記憶する記憶部と、前記記憶部に記憶された表示位置制御パラメータによって示される前記表示位置に配置され、前記受信部によって受信された部分画像及び前記部分画像以外の補完画像とを含む前記表示画像を生成する生成部と、前記生成部によって生成された前記表示画像を前記画像表示装置に送信する送信部とを具備する。【選択図】図１
2018137609.tif 000002
【特許請求の範囲】
【請求項１】
画像表示装置が受信する表示画像の一部である部分画像を受信する受信部と、
前記部分画像の前記表示画像における表示位置を示す表示位置制御パラメータを記憶する記憶部と、
前記記憶部に記憶された表示位置制御パラメータによって示される前記表示画像における前記表示位置に配置され、前記受信部によって受信された部分画像及び前記部分画像以外の補完画像を含む前記表示画像を生成する生成部と、
前記生成部によって生成された前記表示画像を前記画像表示装置に送信する送信部と
を具備する部分画像処理装置。
【請求項２】
前記表示位置制御パラメータは固定値である、請求項１記載の部分画像処理装置。
【請求項３】
前記表示位置制御パラメータは、前記部分画像の受信とは独立して、外部から設定される、請求項１記載の部分画像処理装置。
【請求項４】
前記表示位置制御パラメータは、前記画像表示装置の表示画像情報に基づいて設定される、請求項１記載の部分画像処理装置。
【請求項５】
前記表示位置制御パラメータは、前記部分画像を送信する部分画像送信装置から設定される、請求項３記載の部分画像処理装置。
【請求項６】
前記画像表示装置はヘッドマウントディスプレイである、請求項１記載の部分画像処理装置。
【請求項７】
前記部分画像は視野画像である、請求項１記載の部分画像処理装置。
【発明の詳細な説明】
【技術分野】
【０００１】
本発明の実施形態は、部分画像処理装置に関する。
【背景技術】
【０００２】
近年、ヘッドマウントディスプレイ（ＨＭＤ：Ｈｅａｄ  Ｍｏｕｎｔ  Ｄｉｓｐｌａｙ）に代表される画像表示装置の高精細化に伴ない、例えば、パーソナルコンピュータなどの画像送信装置と、ＨＭＤなどの画像表示装置との間の転送レートのオーバヘッドが増大している。オーバヘッドを低減する技術としては、表示画像のうち必要な部分の画像のみを送信する技術が知られている。
【先行技術文献】
【特許文献】
【０００３】
【特許文献１】特公昭５８−７７３８４公報
【発明の概要】
【発明が解決しようとする課題】
【０００４】
しかしながら、ＨＭＤなどのような画像表示装置では、表示画像のうち視野画像（部分画像）が重要となる。視野画像以外の他の画像領域についてはＨＭＤのユーザからは見えにくい場所であるが、画像送信装置からＨＭＤに他の画像領域のデータについても送っているために、部分画像送信装置と部分画像受信装置との間のオーバヘッドを低減することができない。
【課題を解決するための手段】
【０００５】
実施形態によれば、部分画像処理装置は、画像表示装置が受信する表示画像の一部である部分画像を受信する受信部と、前記部分画像の前記表示画像における表示位置を示す表示位置制御パラメータを記憶する記憶部と、前記記憶部に記憶された表示位置制御パラメータによって示される前記表示位置に配置され、前記受信部によって受信された部分画像及び前記部分画像以外の補完画像とを含む前記表示画像を生成する生成部と、前記生成部によって生成された前記表示画像を前記画像表示装置に送信する送信部とを具備する。
【図面の簡単な説明】
【０００６】
【図１】第１実施形態に係る部分画像処理システムを説明するための図である。
【図２】部分画像処理装置２の機能を説明するための機能ブロック図である。
【図３】部分画像ａを説明するための図である。
【図４】表示画像ｂを説明するための図である。
【図５】第１実施形態の部分画像処理システムの動作について説明するためのフローチャートである。
【図６】第２実施形態に係る部分画像処理システムを説明するための図である。
【図７】第２実施形態に係る部分画像処理システムの表示位置制御パラメータ２−１の送信動作を説明するためのフローチャートである。
【図８】第３実施形態に係る部分画像処理システムを説明するための図である。
【図９】ホストコンピュータ４が部分画像処理装置２に変化したパネル情報に基づく表示位置制御パラメータ２−１を設定する場合の動作を説明するためのフローチャートである。
【図１０】ホストコンピュータ４が部分画像送信装置１に変化したパネル情報に基づく表示位置制御パラメータ２−１を設定する場合の動作を説明するためのフローチャートである。
【図１１】表示位置制御パラメータ２−１の第１の例を示す図である。
【図１２】第１の例の表示位置制御パラメータ２−１を使用した場合のトップボトムの形式で表わした表示画像ｂにおける視野画像ａの指定の仕方を示す図である。
【図１３】表示位置制御パラメータ２−１の第２の例を示す図である。
【図１４】第２の例の表示位置制御パラメータ２−１を使用した場合のサイドバイサイド形式で表わした表示画像ｂにおける視野画像ａの指定の仕方を示す図である。
【図１５】表示領域がオーバラップしない場合の実際に表示される表示画像ｂの例を示す図である。
【図１６】表示領域が１つの場合の表示位置制御パラメータ２−１を使用した場合のサイドバイサイド形式で表わした表示画像ｂにおける視野画像ａの指定の仕方を示す図である。
【図１７】表示領域がオーバラップする場合の実際に表示される表示画像ｂの例を示す図である。
【図１８】表示位置制御パラメータ２−１の第３の例を示す図である。
【図１９】第３の例の表示位置制御パラメータ２−１を使用した場合のサイドバイサイド形式で表わした表示画像ｂにおける視野画像ａの指定の仕方を示す図である。
【図２０】表示位置制御パラメータ２−１の第４の例を示す図である。
【図２１】第４の例の表示位置制御パラメータ２−１を使用した場合のトップボトム形式で表わした表示画像ｂにおける視野画像ａの指定の仕方を示す図である。
【図２２】表示位置制御パラメータ２−１の第５の例を示す図である。
【図２３】２つの表示領域の”ＯＲ”を部分画像ａとした場合を示す図である。
【図２４】２つの楕円のＡＮＤのＯＲをとった２つの部分画像ａとした場合を示す図である。
【図２５】表示位置制御パラメータ２−１の第６の例を示す図である。
【図２６】３２ピクセル×４垂直ラインで表わした部分画像ａを示す図である。
【図２７】図２６に示した部分画像ａを含む表示画像ｂをビットマップ形式で示した図である。
【発明を実施するための形態】
【０００７】
以下、実施形態について図面を参照して説明する。
【０００８】
１  第１実施形態
１−１  構成
図１は、第１実施形態に係る部分画像処理システムを説明するための図である。同図に示すように、部分画像処理システムは、部分画像送信装置１、部分画像処理装置２及び画像表示装置３を有する。
【０００９】
部分画像送信装置１は、例えば、部分画像ａを送信するパーソナルコンピュータである。ここで、部分画像ａは画像表示装置３の表示画像ｂの一部である画像を意味する。部分画像ａは、例えば、視野画像である。部分画像送信装置１は、部分画像ａを部分画像処理装置２に送信する。部分画像送信装置１と部分画像処理装置２とは、有線又は無線により接続される。
【００１０】
部分画像処理装置２は、例えば、ＬＳＩ（Ｌａｒｇｅ−ｓｃａｌｅ  ｉｎｔｅｇｒａｔｉｏｎ）であるが、これに限られるものではない。部分画像処理装置２は、部分画像ａの画像表示装置３の表示画像ｂの表示位置を示す表示位置制御パラメータ２−１に基づいて、画像表示装置３の表示画像ｂに部分画像ａを配置し、部分画像ａ以外の部分を補完画像（例えば、黒色の画像）で補完した補完画像を含む表示画像ｂ（パネル用画像）を生成する。
【００１１】
画像表示装置３は、液晶、有機ＥＬなどのパネルのディスプレイであり、表示画像ｂの表示処理を司る表示制御部を含む。実施形態では、画像表示装置３は、例えば、ＨＭＤ及びＨＭＤの表示画像ｂの処理を司る表示制御部である。
部分画像処理装置２と画像表示装置３とは一体であっても良いし、有線又は無線により接続されていても良い。実施形態では、ＨＭＤ装置は、部分画像処理装置２及び画像表示装置３を有する。画像表示装置３は、部分画像処理装置２から送られる表示画像ｂを、その表示装置に表示する。
【００１２】
図２は、部分画像処理装置２の機能を説明するための機能ブロック図である。
【００１３】
同図に示すように、部分画像処理装置２は、受信部２１、部分画像処理部２２、記憶部２３及び送信部２４を有する。
【００１４】
受信部２１は、部分画像送信装置１から送信された部分画像ａを受信し、部分画像処理部２２に送信する。
【００１５】
部分画像処理部２２は、部分画像配置部２２−１及び画像補完部２２−２を有する。
【００１６】
部分画像配置部２２−１は、表示位置制御パラメータ２−１に基づいて、受信部２１から送信された部分画像ａを画像表示装置３の表示画像ｂに配置する。表示位置制御パラメータ２−１は、部分画像ａの画像表示装置３の表示画像ｂにおける表示位置を示す。
【００１７】
画像補完部２２−２は、表示画像ｂの部分画像ａ以外の画像（補完画像）を補完する。画像補完部２２−２は、画像が補完された表示画像ｂを送信部２４に送る。
【００１８】
送信部２４は、部分画像処理部２２から送られた表示画像ｂを画像表示装置３に送る。
【００１９】
記憶部２３は、表示位置制御パラメータ２−１を記憶する。第１実施形態では、表示位置制御パラメータ２−１は固定であり、記憶部２３は、例えば、ＲＯＭ（Ｒｅａｄ−ｏｎｌｙ  ｍｅｍｏｒｙ）、ｅＦｕｓｅ（ｅｌｅｃｔｒｏｎｉｃ  Ｆｕｓｅ）、ＯＴＰ（ｏｎｅ  ｔｉｍｅ  ｐｒｏｇｒａｍｍａｂｌｅ）  ＲＯＭなどである。なお、記憶部２３はＲＯＭに限られるものではなく、記憶手段であれば不揮発性メモリ、揮発性メモリなどであっても良い。
【００２０】
表示位置制御パラメータ２−１は、画像表示装置３の表示画像ｂにおける部分画像ａの位置を示し、表示画像ｂにおける部分画像ａの表示開始位置、表示終了位置、水平サイズ（水平ピクセル数）、垂直サイズ（垂直ピクセル数）を含むが、これに限るものではない。表示位置制御パラメータ２−１の具体例については、後述する。
図３は、部分画像送信装置１から送られる部分画像ａの一例を説明するための図である。同図に示すように、部分画像ａは、例えば、画像表示装置３の垂直ライン（長方形で示した部分）毎に、その配置位置（表示開始位置、表示終了位置）が指定されない状態で送られる。なお、図３における「Ａ」は、図１において示した部分画像ａの全体を示す「Ａ」に対応して示したものであり、画像表示装置３において実際に表示されるものではない。
【００２１】
図４は、部分画像処理装置２から画像表示装置３に送られる表示画像ｂの一例を説明するための図である。同図に示すように、部分画像処理装置２から画像表示装置３に送られる部分画像ａは、表示位置制御パラメータ２−１により表示画像ｂにおける表示位置が決定されて配置され、表示画像ｂにおける部分画像ａ以外の領域は、補完画像で補完される。
【００２２】
１−２  動作
次に、第１実施形態の部分画像処理システムの動作について、図５のフローチャートを参照して説明する。
【００２３】
まず、部分画像送信装置１は、部分画像ａである視野画像を部分画像処理装置２に送信する（Ｓ１）。部分画像処理装置２は、部分画像送信装置１から送信された視野画像を受信し（Ｓ２）、表示位置制御パラメータ２−１に基づいて、受信した視野画像ａを画像表示装置３の表示画像ｂに配置するとともに、表示画像ｂの視野画像ａ以外を補完画像で補完し、表示画像ｂを生成する（Ｓ３）。すなわち、表示画像ｂは、視野画像ａと補完画像とを含む。部分画像処理装置２は、Ｓ３において生成された表示画像ｂを画像表示装置３に送信する（Ｓ４）。
【００２４】
画像表示装置３は、部分画像処理装置２から送信された表示画像ｂを受信して、所定の表示制御処理を施した後に、表示画像ｂを画像表示装置３の表示装置に表示する（Ｓ５）。
【００２５】
１−３  効果
第１実施形態によれば、表示位置制御パラメータ２−１を部分画像（視野画像）に重畳させて送信する必要がないので、部分画像送信装置１と部分画像処理装置２との間のデータ転送帯域を少なくすることができる。動画の場合、静止画よりもデータ転送量が多く、画像表示領域の変動が少ないため効果が大きい。
【００２６】
２  第２実施形態
図６は、第２実施形態に係る部分画像処理システムを説明するための図である。なお、図１と同じ部分には同一の符号を付して説明する。
【００２７】
第２実施形態の部分画像処理システムでは、第１実施形態の部分画像処理システムとは異なり、表示位置制御パラメータ２−１は部分画像処理装置２に固定ではなく、部分画像送信装置１から設定されるものである。
【００２８】
図７は、第２実施形態に係る部分画像処理システムの表示位置制御パラメータ２−１の送信動作を説明するためのフローチャートである。
【００２９】
同図に示すように、まず、部分画像送信装置１が表示画像ｂにおける部分画像ａの位置を示す表示位置制御パラメータ２−１が変化したか否かを判断する（Ｓ１１）。Ｓ１１において、表示位置制御パラメータ２−１が変化したと判断された場合には、部分画像送信装置１は変化した表示位置制御パラメータ２−１を部分画像処理装置２に送信する（Ｓ１２）。
【００３０】
ここで、表示位置制御パラメータ２−１が変化したか否かの判断は、ユーザにより指示された場合などを含むが、これに限られるものではない。
【００３１】
部分画像処理装置２は、部分画像送信装置１から送信された表示位置制御パラメータ２−１を受信すると（Ｓ１３）、受信した表示位置制御パラメータ２−１を部分画像処理装置２の記憶部２３に格納し（Ｓ１４）、処理を終了する。
【００３２】
第２実施形態によれば、部分画像ａの表示位置を部分画像送信装置１から部分画像処理装置２に任意に設定することができるので、フレキシブルな部分画像処理システムを提供することができる。
【００３３】
３  第３実施形態
図８は、第３実施形態に係る部分画像処理システムを説明するための図である。なお、図１と同じ部分には同一の符号を付して説明する。
【００３４】
同図に示すように、第３実施形態の部分画像処理システムは、部分画像送信装置１、部分画像処理装置２及び画像表示装置３に加えて、ホストコンピュータ４を有する。
【００３５】
ホストコンピュータ４は、画像表示装置３の変化したパネル情報（例えば、表示画像情報の水平サイズ（水平ピクセル数）、垂直サイズ（垂直ピクセル数））を受信し、この受信したパネル情報に基づく表示位置制御パラメータ２−１を部分画像送信装置１又は部分画像処理装置２に設定する。
【００３６】
また、パネル情報の変化は、ホストコンピュータ４から部分画像送信装置１及び部分画像処理装置２の双方に知らされる。部分画像送信装置１から部分画像ａを送信する際、部分画像処理装置２から画像表示装置３に表示画像ｂのパネル情報が必要となるからである。
【００３７】
図９は、ホストコンピュータ４が部分画像処理装置２に変化したパネル情報に基づく表示位置制御パラメータ２−１を設定する場合の動作を説明するためのフローチャートである。
【００３８】
同図に示すように、ホストコンピュータ４は、画像表示装置３のパネル情報をフィードバック情報として受信し、パネル情報が変化したか否かを判断する（Ｓ２１）。ホストコンピュータ４は、Ｓ２１においてパネル情報が変化していると判断された場合、変化したパネル情報を部分画像送信装置１及び部分画像処理装置２に送信する（Ｓ２２）。
【００３９】
これにより、部分画像送信装置１から送信される部分画像ａ及び部分画像処理装置２から画像表示装置３に送信される表示画像ｂは、変化したパネル情報に適合する画像とすることができる。
【００４０】
例えば、ＨＭＤ使用者が、（Ａ）水平２０４８ピクセル×垂直１０２４ラインのパネルを（Ｂ）水平４０９６ピクセル×垂直２０４８ラインにアップグレードした場合、デジタルデータの場合、（Ａ）のパネルにおいて、例えば、１００ピクセルから１９４８ピクセルを部分転送する場合、（Ｂ）のパネルであれば、２００ピクセルから３８９６ピクセルを部分転送する必要がある。従って、部分画像ａの精細度も開始位置情報も変化する。
【００４１】
次に、ホストコンピュータ４は、変化したパネル情報に応じた表示位置制御パラメータ２−１を部分画像処理装置２に送信する（Ｓ２３）。
【００４２】
部分画像処理装置２は、ホストコンピュータ４から変化したパネル情報に応じた表示位置制御パラメータ２−１を受信し（Ｓ２４）、受信した表示位置制御パラメータ２−１を記憶部２３に格納し（Ｓ２５）、処理を終了する。部分画像処理装置２に格納された表示位置制御パラメータ２−１は、第１実施形態において述べたように、視野画像の処理のために使用される。
【００４３】
図１０は、ホストコンピュータ４が部分画像送信装置１に変化したパネル情報に基づく表示位置制御パラメータ２−１を設定する場合の動作を説明するためのフローチャートである。
【００４４】
同図に示すように、ホストコンピュータ４は、画像表示装置３のパネル情報をフィードバック情報として受信し、パネル情報が変化したか否かを判断する（Ｓ３１）。ホストコンピュータ４は、Ｓ３１においてパネル情報が変化していると判断された場合、変化したパネル情報を部分画像送信装置１及び部分画像処理装置２に送信する（Ｓ３２）。  次に、ホストコンピュータ４は、変化したパネル情報に応じた表示位置制御パラメータ２−１を部分画像送信装置１に送信する（Ｓ３３）。
【００４５】
部分画像送信装置１は、ホストコンピュータ４から表示位置制御パラメータ２−１を受信すると（Ｓ３４）、第２実施形態において説明したと同様、受信した表示位置制御パラメータ２−１を部分画像処理装置２に送信する（Ｓ３５）。
【００４６】
部分画像処理装置２は、部分画像送信装置１からパネル情報に応じた表示位置制御パラメータ２−１を受信し（Ｓ３６）、受信した表示位置制御パラメータ２−１を記憶部２３に格納し（Ｓ３７）、処理を終了する。
【００４７】
従って、第３実施形態によれば、画像表示装置（パネルなど）や、左右の視野を含めた凹レンズの個体差により、歪み具合をコントロールするために、表示画像ｂの領域情報を逐次変更する場合、部分画像処理装置２から部分画像送信装置１への上りデータパスを必要とせず、部分画像送信装置１及び部分画像処理装置２の両方に同じパラメータを設定することができる。
４  表示位置制御パラメータ２−１について
次に、上述の実施形態に使用される表示位置制御パラメータ２−１について説明する。なお、表示位置制御パラメータ２−１については、下記に述べるパラメータの例に限られるものではない。また、表示位置制御パラメータ２−１は、その形式は問わず、例えば、暗号化、スクランブル化されていても良い。
４−１  表示位置制御パラメータの例１
図１１は、表示位置制御パラメータ２−１の第１の例を示す図である。
【００４８】
同図に示すように、表示位置制御パラメータ２−１は、水平ピクセル数、垂直ライン数に加え、表示開始位置、表示終了位置を垂直ライン毎に有する。従って、表示位置制御パラメータ２−１のパラメータの数は、水平ピクセル数、垂直ライン数、２×垂直ライン数となる。
【００４９】
図１２は、第１の例の表示位置制御パラメータ２−１を使用した場合のトップボトム形式で表わした表示画像ｂにおける視野画像ａの指定の仕方を示す図である。同図においては、垂直ライン毎に領域が１つの場合を示している。ここで、「領域」とは、１つの垂直ラインにおいて、表示開始位置Ｓと表示終了位置Ｅとで指定される領域を意味する。
例えば、図１２に示すように、垂直ラインｌ及び垂直ラインｌ+αでは、それぞれ１組の表示開始位置Ｓ及び表示終了位置Ｅを有する。
【００５０】
このような表示位置制御パラメータ２−１によれば、部分画像表示領域を矩形に限らず自由な形状で定義することができるため、表示不要な不転送データ量を矩形の場合よりも大きくとれる。例えば、１６：９の画面の半分の８：９の領域における正方形の部分だと、８：８の領域を送受信することになるが、円の場合だと、π／４（＝π×ｒ×ｒ／（２ｒ）2）となり、２１．４％の通信データ量を削減することができる。また、表示位置制御パラメータ２−１のデータ転送量が少なくて済むので、左右両目画像をトップボトム形式で送信する場合に適している。
４−２  表示位置制御パラメータ２−１の例２
図１３は、表示位置制御パラメータ２−１の第２の例を示す図である。第２の例では、１つの垂直ラインにおいて２つの領域が存在する場合について説明する。
【００５１】
同図に示すように、表示位置制御パラメータ２−１は、水平ピクセル数、垂直ライン数に加え、２組の表示開始位置Ｓ１及び表示終了位置Ｅ１、表示開始位置Ｓ２及び表示終了位置Ｅ２を垂直ライン毎に有する。従って、表示位置制御パラメータ２−１のパラメータの数は、水平ピクセル数、垂直ライン数、４×垂直ライン数となる。
【００５２】
図１４は、第２の例の表示位置制御パラメータ２−１を使用した場合のサイドバイサイド形式で表わした表示画像ｂにおける視野画像ａの指定の仕方を示す図である。
【００５３】
同図においては、表示画像ｂの垂直ラインｌの２つの領域が、表示開始位置Ｓ１及び表示終了位置Ｅ１、表示開始位置Ｓ２及び表示終了位置Ｅ２によって指定されている例を示している。図１５は、表示領域がオーバラップしない場合の実際に表示される表示画像ｂの例を示す図である。
【００５４】
すなわち、このような表示位置制御パラメータ２−１によれば、後述する例の表示位置制御パラメータ２−１の領域数のパラメータを使用する場合に比して、パラメータのデータ伝送量を少なくすることができる。
【００５５】
図１２に示したトップボトム形式の表示画像ｂと比較して、図１４に示したサイドバイサイド形式の表示画像ｂの画素数が同じであるとすると、図１４に示した表示画像ｂの垂直ライン数は、図１２に示したトップボトム形式の表示画像ｂの垂直ライン数の半分の垂直ライン数であるので、表示位置制御パラメータ２−１のデータ個数は同じとなる。しかしながら、同じ画素数であっても、図１２に示した表示画像ｂと比較して、図１４に示した表示画像ｂは水平位置を絶対値で指定すると、１ビット余分に必要になるため、必要データ量は、図１２によりも多くなる。この場合であっても、右半分を水平ピクセル数の半分のオフセットを加えれば、余分の１ビットは不要になる。
【００５６】
なお、表示領域が１つの場合には、図１６に示すように、１番目の表示領域の表示終了位置と２番目の表示領域の表示開始位置とを同じにすることで、表現することができる。図１７は、表示領域がオーバラップする場合の実際に表示される表示画像ｂの例を示す図である。
【００５７】
このような表示位置制御パラメータ２−１の決定の仕方によれば、左右の部分画像ａの対称性を使用することができるので、表示位置制御パラメータ２−１のデータ転送量を少なくすることができる。
４−３  表示位置制御パラメータ２−１の例３
図１８は、表示位置制御パラメータ２−１の第３の例を示す図である。
【００５８】
同図に示すように、表示位置制御パラメータ２−１は、水平ピクセル数、垂直ライン数に加え、領域数、領域数に対応した表示開始位置、表示終了位置を垂直ライン毎に有する。従って、表示位置制御パラメータ２−１のパラメータの数は、水平ピクセル数、垂直ライン数、２×ΣＲ［ｌ］×垂直ライン数となる。ここで、Ｒ［ｌ］は、垂直ラインｌにおける領域数である。
【００５９】
図１９は、第３の例の表示位置制御パラメータ２−１を使用した場合のサイドバイサイド形式で表わした表示画像ｂにおける視野画像ａの指定の仕方を示す図である。
【００６０】
同図に示すように、例えば、垂直ラインｌでは領域数Ｒ［ｌ］＝１、垂直ラインｌ＋１では領域数Ｒ［ｌ＋１］＝１、垂直ラインｌ＋２では領域数Ｒ［ｌ＋２］＝２となる。垂直ラインｌ、ｌ＋１では１組の表示開始位置Ｓ及び表示終了位置Ｅとなり、垂直ラインｌ、ｌ＋２では領域に対応した２組の表示開始位置Ｓ及び表示終了位置Ｅとなる。
【００６１】
このような表示位置制御パラメータ２−１の決定の仕方によれば、垂直ライン毎に、表示領域数が１つ又は２つの固定ではなく可変にすることができるため、自由な表示形状を表現することができる。
４−４  表示位置制御パラメータ２−１の例４
図２０は、表示位置制御パラメータ２−１の第４の例を示す図である。
【００６２】
第４の例では、部分画像ａが左右対称という制限をつけることにより、表示終了位置を省略することができる例である。
【００６３】
同図に示すように、表示位置制御パラメータ２−１は、水平ピクセル数、垂直ライン数に加え、表示開始位置のみを垂直ライン毎に有する。従って、表示位置制御パラメータ２−１のパラメータの数は、水平ピクセル数、垂直ライン数、１×垂直ライン数となる。
【００６４】
図２１は、第４の例の表示位置制御パラメータ２−１を使用した場合のトップボトム形式で表わした表示画像ｂにおける視野画像ａの指定の仕方を示す図である。
【００６５】
同図に示すように、垂直ライン毎に表示開始位置Ｓを設定し、表示終了位置Ｅについては、水平ピクセル数Ｈ−表示開始位置Ｓとする。これにより、表示終了位置Ｅを省略することができる。
４−５  表示位置制御パラメータ２−１の例５
図２２は、表示位置制御パラメータ２−１の第５の例を示す図である。
【００６６】
第５の例では、垂直ライン毎の表示開始位置、表示終了位置を送付することなく、部分画像ａを計算で求める場合について説明するものである。
【００６７】
同図に示すように、表示位置制御パラメータ２−１は、水平ピクセル数、垂直ライン数に加え、領域数Ｒ、水平径  ａｘ［ｒ］、垂直径  ｂｙ［ｒ］、水平オフセット  ｄｘ［ｒ］、垂直オフセット  ｄｙ［ｒ］を有する。従って、表示位置制御パラメータ２−１のパラメータの数は、水平ピクセル数、垂直ライン数に加え、（水平径  ａｘ［ｒ］、垂直径  ｂｙ［ｒ］、水平オフセット  ｄｘ［ｒ］、垂直オフセット  ｄｙ［ｒ］）×領域数  Ｒとなる。この表示位置制御パラメータ２−１は、楕円の領域を表す表示位置制御パラメータ２−１である。
【００６８】
楕円である部分画像ａの表示領域であるかの判断は、垂直ライン毎に、以下の式（１）で判断される。
【００６９】
((x - dx[r])×by[r])2+((y-dy[r])×ax[r])2 < (ax[r]×by[r])2
…  （１）
上記（１）式が成立すれば、座標（ｘ，ｙ）は表示領域であると判断される。
【００７０】
図２３は、２つの表示領域の”ＯＲ”を部分画像ａとした場合を示す図である。
【００７１】
また、図２４は、２つの楕円のＡＮＤのＯＲをとった２つの部分画像ａとした場合を示す図である。このような部分画像ａの表示領域であるかの判断は、以下の式（２）で判断される。
(
(((x - dx[0])×by[0])2+((y-dy[0])×ax[0])2 < (ax[0]×by[0])2)) AND (((x - dx[1])×by[1])2+((y-dy[1])×ax[1])2 < (ax[1]×by[1])2))
)
OR (
(((x - dx[2])×by[2])2+((y-dy[2])×ax[2])2 < (ax[2]×by[2])2)) AND
(((x - dx[3])×by[3])2+((y-dy[3])×ax[3])2 < (ax[3]×by[3])2))
)
…（２）
上記（２）式が成立すれば、座標（ｘ，ｙ）は表示領域であると判断される。
【００７２】
このような表示位置制御パラメータ２−１の決定の仕方によれば、楕円という形状に固定することで、部分画像ａの形状の自由度は下がるが、部分画像ａのデータ量を削減することができる。
４−６  表示位置制御パラメータ２−１の例６
図２５は、表示位置制御パラメータ２−１の第６の例を示す図である。
【００７３】
第６の例では、垂直ライン毎の表示開始位置、表示終了位置を送付することなく、転送の有無を１ビットのビットマップで表現するものである。
【００７４】
同図に示すように、表示位置制御パラメータ２−１は、水平ピクセル数、垂直ライン数及び１ビットのビットマップを有する。従って、表示位置制御パラメータ２−１のパラメータの数は、水平ピクセル数、垂直ライン数×１ビットとなる。
【００７５】
図２６は、３２ピクセル×４垂直ラインで表わした部分画像ａを示す図であり、図２７は図２６に示した部分画像ａを含む表示画像ｂをビットマップ形式で示した図である。
【００７６】
このような表示位置制御パラメータ２−１の決定の仕方によれば、部分画像ａの表示形状の自由度を高めることができる。
【００７７】
このような表示位置制御パラメータ２−１の決定の仕方によれば、部分画像ａの形状の自由度が上がり、領域が複雑な場合、同等の部分画像ａを表現することができる第３の例よりも部分画像ａのデータ量を削減することができる。
【００７８】
すなわち、（３）式を満たす場合に、第３の例よりも部分画像ａのデータ量を削減することができる。
【００７９】
（水平ピクセル数×垂直ライン数×１ビット）＜（２×ΣＲ［ｌ］）×座標表現ビット数  …（３）
【００８０】
例えば、各垂直ラインの領域数Ｒ［ｌ］が同数であり、Ｈを水平ピクセル数、Ｖを垂直ライン数とすると、
Ｈ×Ｖ×１  ＜２×Ｒ×Ｖ×ｌｎＨ
＝Ｈ／（２×ｌｎＨ）＜Ｒ
水平３８４０ピクセルの場合、
３８４０／（２×１２）＜Ｒ
１６０＜Ｒ
水平１４４０ピクセルの場合、
１４４０／（２×１１）＜Ｒ
６５＜Ｒ
となる。
【００８１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８２】
１…部分画像送信装置、２…部分画像処理装置、２−１…表示位置制御パラメータ、３…画像表示装置、４…ホストコンピュータ、ａ…部分画像、ｂ…表示画像。
【図１】
2018137609.tif 000003
【図２】
2018137609.tif 000004
【図３】
2018137609.tif 000005
【図４】
2018137609.tif 000006
【図５】
2018137609.tif 000007
【図６】
2018137609.tif 000008
【図７】
2018137609.tif 000009
【図８】
2018137609.tif 000010
【図９】
2018137609.tif 000011
【図１０】
2018137609.tif 000012
【図１１】
2018137609.tif 000013
【図１２】
2018137609.tif 000014
【図１３】
2018137609.tif 000015
【図１４】
2018137609.tif 000016
【図１５】
2018137609.tif 000017
【図１６】
2018137609.tif 000018
【図１７】
2018137609.tif 000019
【図１８】
2018137609.tif 000020
【図１９】
2018137609.tif 000021
【図２０】
2018137609.tif 000022
【図２１】
2018137609.tif 000023
【図２２】
2018137609.tif 000024
【図２３】
2018137609.tif 000025
【図２４】
2018137609.tif 000026
【図２５】
2018137609.tif 000027
【図２６】
2018137609.tif 000028
【図２７】
2018137609.tif 000029